(57)【要約】【課題】密閉容器の共振周波数を変更させて密閉容器の共振を防止した密閉型圧縮機を提供する。【解決手段】上部容器（１１）の一側に所定の弾性力で上部容器（１１）に弾支されるダンピング部材（４０）が取り付けられる。ダンピング部材（４０）は、上部容器（１１）に固定される固定部（４１）と、上部容器（１１）に弾支される弾支部（４２）とを有し、弾支部（４２）は固定部の一側から突出する突出部（４２ａ）と、固定部（４１）と突出部（４２ａ）間を連結し、固定部の他側に曲がっている屈曲部（４２ｂ）を有する。【選択図】      図２
2004324638.tif 000002
【特許請求の範囲】
【請求項１】
動力を発生させる駆動部と該駆動部から動力を受けて冷媒を圧縮する圧縮部とを収容する密閉容器と、
所定の弾性力で上記密閉容器に弾支されて該密閉容器の共振周波数を変更させるダンピング部材とを備える密閉型圧縮機。
【請求項２】
上記密閉容器は、上部容器と下部容器が結合されてなり、上記ダンピング部材は、該上部容器と下部容器の少なくとも１つの容器に設けられることを特徴とする請求項１記載の密閉型圧縮機。
【請求項３】
上記ダンピング部材は、上記密閉容器に固定される固定部と、該密閉容器に弾性力を与えるために弾性変形されたままで該密閉容器に接触する弾支部とを有することを特徴とする請求項１記載の密閉型圧縮機。
【請求項４】
上記ダンピング部材の固定部は、上記密閉容器にスポット溶接で固定されることを特徴とする請求項３記載の密閉型圧縮機。
【請求項５】
上記ダンピング部材の弾支部は、該ダンピング部材の固定部の一側に突出して弾性変形され、上記密閉容器に弾支される突出部を有することを特徴とする請求項３記載の密閉型圧縮機。
【請求項６】
上記弾支部は、該ダンピング部材の固定部と上記突出部間を連結し、該弾支部が弾性力を上記密閉容器に与えるように、該固定部の他側に曲がっている屈曲部を有することを特徴とする請求項５記載の密閉型圧縮機。
【発明の詳細な説明】
【技術分野】
【０００１】
本発明は、密閉型圧縮機に関し、より詳しくは、密閉型圧縮機の作動時に発生する騒音及び振動の減衰を可能にした密閉型圧縮機に関するものである。
【背景技術】
【０００２】
一般に、圧縮機は、機械的力により物質に圧力を加えて物質の体積を縮小させるか又は状態を変化させる装置である。このような圧縮機のうちには、密閉空間内で冷媒を圧縮する密閉型圧縮機がある。
【０００３】
このような機能を有する一般の密閉型圧縮機は、上部容器と下部容器が結合されてなる密閉容器の内部で動力を発生させる駆動部と、駆動部から動力を受けて冷媒を吸い込んで圧縮する圧縮部とから構成される。
【０００４】
駆動部は、磁場を形成する固定子と、回転軸が挿入された回転子とからなり、回転軸の上部には偏心軸が設けられている。
【０００５】
駆動部は、電源を印加して磁場を形成する固定子と、固定子と相互作用して回転する回転子と、回転子の中心部に軸方向に挿入され、一体的に回転する回転軸とからなる。
【０００６】
また、圧縮部は、圧縮室が設けられたシリンダブロックと、圧縮室に対する冷媒の吸込及び吐出しを案内するために、吸込室及び吐出室が設けられたシリンダヘッドと、圧縮室の内部を直線往復動するピストンとからなる。
【０００７】
このように構成された密閉型圧縮機は、電源が印加されると、固定子で形成された磁場により、回転軸の挿入された回転子が相互作用して回転する。この際、回転軸とピストンを連結するコネクチングロッドを介して回転子の回転運動がピストンの直線往復運動に変換され、ピストンが圧縮室内で往復動しながら冷媒を吸い込み圧縮して吐き出す。
【０００８】
しかし、このような従来の密閉型圧縮機は、冷媒の圧縮により発生する冷媒の圧力脈動、圧縮室の内壁とピストン間の摩擦による機械的騒音、及び振動により放射される特定の高周波音及び低周波音が密閉容器の共振周波数と一致することにより密閉容器が共振するため、異常な騒音が発生するという問題点がある。
【発明の開示】
【発明が解決しようとする課題】
【０００９】
したがって、本発明は、このような従来の問題点を解決するためになされたものであり、本発明の目的は、密閉容器の共振周波数を変更させることにより、密閉容器の共振を防止した密閉型圧縮機を提供することにある。
【課題を解決するための手段】
【００１０】
上述のような目的を達成するために、本発明は、動力を発生させる駆動部と、駆動部から動力を受けて冷媒を圧縮する圧縮部とを収容する密閉容器と、所定の弾性力で密閉容器に弾支されて密閉容器の共振周波数を変更させるダンピング部材とを備える密閉型圧縮機を提供する。
【００１１】
密閉容器は、上部容器と下部容器が結合されてなることができ、ダンピング部材は、上部容器と下部容器の少なくとも１つの容器に設けてもよい。
【００１２】
ダンピング部材は、密閉容器に固定される固定部と、密閉容器に弾性力を与えるために弾性変形されたままで密閉容器に接触する弾支部とを有していてもよい。
【００１３】
ダンピング部材の固定部は、密閉容器にスポット溶接で固定されてもよい。
【００１４】
ダンピング部材の弾支部は、ダンピング部材の固定部の一側に突出して弾性変形され、密閉容器に弾支される突出部を有していてもよい。
【００１５】
ダンピング部材の弾支部は、ダンピング部材の固定部と突出部間を連結し、弾支部が弾性力を密閉容器に与えるように、固定部の他側に曲がっている屈曲部を有していてもよい。
【発明の効果】
【００１６】
本発明を適用した密閉型圧縮機は、密閉容器に取り付けられるダンピング部材が密閉容器に持続的に弾支されて密閉容器の共振周波数を変更させるという効果がある。
【００１７】
したがって、密閉容器が密閉型圧縮機の内部で放射される特定の高周波音と低周波音により共振することを防止することにより騒音を減少させるという効果がある。
【発明を実施するための最良の形態】
【００１８】
以下、添付図面を参照して本発明の好ましい実施例について詳細に説明する。
【００１９】
図１は、本発明を適用した密閉型圧縮機の全体構造を示す側断面図である。
【００２０】
同図に示すように、本発明を適用した密閉型圧縮機は、上部容器１１と下部容器１２が結合されてなる密閉容器１０内で動力を発生する駆動部２０と、駆動部２０から動力を受けて冷媒を圧縮する圧縮部３０とを備える。
【００２１】
駆動部２０は、磁場を形成する固定子２１と、回転軸２３が挿入された回転子２２とからなり、回転軸２３の上部には偏心軸２４が設けられている。
【００２２】
圧縮部３０は、内部に圧縮室３１ａが形成されたシリンダブロック３１と、冷媒の吸込及び吐出しを案内するために、吸込室３２ａ及び吐出室３２ｂが形成されたシリンダヘッド３２と、圧縮室３１ａを経由する冷媒の吸込及び吐出しを断続するための吸入バルブプレート及び吐出バルブプレートを有し、シリンダブロック３１とシリンダヘッド３２間に設けられたバルブ部３３とを備える。
【００２３】
また、圧縮室３１ａの内部には、ピストン３４が設けられている。このピストン３４は回転軸２３の偏心軸２４にコネクチングロッド３５を介して連結されており、偏心回転運動が直線往復運動に変換され、ピストン３４が圧縮室３１ａの内部で進退運動する。
【００２４】
一方、上部容器１１の一側には、所定の弾性力で上部容器１１に弾支されて上部容器１１の共振周波数を変更させるダンピング部材４０が設けられる。以下では図２を参照してダンピング部材４０の構造について詳細に説明する。
【００２５】
図２に示すように、ダンピング部材４０は、金属材からなるものであって、上部容器１１に固定される固定部４１と、上部容器１１に弾支される弾支部４２とを有する。
【００２６】
固定部４１は平板状のもので、上部容器１１に密着して固定されるが、この固定を確かにするため、スポット溶接により固定される。
【００２７】
弾支部４２は、固定部４１の一側に突出する突出部４２ａと、固定部４１と突出部４２ａを連結し、他側に膨らむように曲がっている屈曲部４２ｂとを有する。
【００２８】
以上の実施例では、ダンピング部材４０が上部容器１１に設置されるものに限定して説明したが、ダンピング部材４０は上部容器１１だけでなく下部容器１２に設けてもよい。
【００２９】
図３は、密閉型圧縮機の密閉容器１０及びダンピング部材４０が固定される前の状態を示す側断面図であり、図４は本発明を適用した密閉型圧縮機の密閉容器１０にダンピング部材４０が固定された状態を示す側断面図である。
【００３０】
図３及び図４に示すように、固定部４１がスポット溶接により密閉容器１０に固定される場合、突出部４２ａはその突出長（Ｓ）だけ密閉容器１０により後方に押される。よって、突出部４２ａと屈曲部４２ｂを含んでなる弾支部４２は弾性変形された状態で密閉容器１０に弾支される。
【００３１】
この際、屈曲部４２ｂは、その屈曲形状により弾性変形が円滑になされるようにすることにより、弾支部４２が塑性変形することを防止する。したがって、弾支部４２が密閉容器１０に対して持続的に弾性力を発揮することができる。
【００３２】
つぎに、このように構成された本発明のダンピング部材４０を備えた密閉型圧縮機の動作及び作用を説明する。
【００３３】
まず、密閉型圧縮機に電源が印加されると、固定子２１との電磁的相互作用により回転子２２が回転する。すると、回転子２２の偏心軸２４にコネクチングロッド３５を介して連結されたピストン３４が圧縮室３１ａ内で直線往復運動することにより、冷媒が吸い込まれ圧縮された後、吐き出される。
【００３４】
このように密閉型圧縮機が作動するとき、冷媒の圧力脈動、圧縮室３１ａの内壁とピストン３４間の摩擦などによる騒音、及び振動により特定の高周波音及び低周波音が密閉容器１０の内壁に放射される。この際、ダンピング部材４０により密閉容器１０の共振周波数が変更されるため、密閉容器１０内で放射される特定の高周波音と低周波音が共振することを防止することができる。すなわち、ダンピング部材４０が所定の弾性力で密閉容器１０に持続的に弾支されることにより、密閉容器１０の共振周波数を変更させることになる。
【００３５】
図５は従来の密閉型圧縮機と本発明を適用した密閉型圧縮機で発生する騒音程度を対比して示すグラフである。同図に示すように、本発明によるダンピング部材４０が設けられた密閉容器１０を有する密閉型圧縮機は、従来の密閉容器からなる密閉型圧縮機に比べ、発生する騒音が少ない。これは、本発明によるダンピング部材４０が密閉容器１０の共振周波数を変更させることにより、密閉容器１０が共振することを防止するからである。
【図面の簡単な説明】
【００３６】
【図１】本発明を適用した密閉型圧縮機の全体構造を示す側断面図である。
【図２】本発明を適用した密閉型圧縮機の上部容器に固定されるダンピング部材を示す斜視図である。
【図３】本発明を適用した密閉型圧縮機の密閉容器及びダンピング部材が固定される前の状態を示す側断面図である。
【図４】本発明を適用した密閉型圧縮機の密閉容器にダンピング部材が固定された状態を示す側断面図である。
【図５】従来の密閉型圧縮機と本発明を適用した密閉型圧縮機で発生する騒音を比較するグラフである。
【符号の説明】
【００３７】
１０    密閉容器，  １１    上部容器，  １２    下部容器，  ２０    駆動部，  ２１    固定子，  ２２    回転子，  ２３    回転軸，  ２４    偏心軸，  ３０    圧縮部，  ３１    シリンダブロック，  ３１ａ    圧縮室，  ３２    シリンダヘッド，  ３２ａ    吸込室，  ３２ｂ    吐出室，  ３３    バルブ部，  ３４    ピストン，  ３５    コネクチングロッド，  ４０    ダンピング部材，  ４１    固定部，  ４２    弾支部，  ４２ａ    突出部，  ４２ｂ    屈曲部
【図１】
2004324638.tif 000003
【図２】
2004324638.tif 000004
【図３】
2004324638.tif 000005
【図４】
2004324638.tif 000006
【図５】
2004324638.tif 000007